(57)【要約】【課題】  ディスクトレイを前方に突出させて光ディスクの出し入れを行う光ディスク再生装置において、ディスクトレイをスライドさせる毎に表示部の輝度が頻繁に変化することを防止することができる光ディスク再生装置を提供する。【解決手段】  筐体と、貫通する孔を備える前面パネルと、ディスクトレイと、トレイ駆動部と、ディスクトレイの位置を検出するトレイ検出部と、再生部と、表示部と、表示部の周囲の照度を検出する照度検出部と、表示部の輝度を設定する輝度設定部とを備え、照度検出部が周囲の照度が変化したことを検出した場合において、トレイ検出部がディスクトレイが筐体の外部にあることを検出したときは、輝度設定部は表示部の輝度を変化させない設定をし、トレイ検出部がディスクトレイが筐体の内部にあることを検出したときは、輝度設定部は表示部の輝度を照度検出部が検出する照度に応じた輝度に設定する。【選択図】      図１
2007102988.tif 000002
【特許請求の範囲】
【請求項１】
光ディスクに記録されているデータを再生する光ディスク再生装置において、
筐体と、前記筐体に固定され貫通する孔を備える前面パネルと、光ディスクを載置するディスクトレイと、前記ディスクトレイを前記筐体の外部から前記前面パネルの前記孔を通過して前記筐体内部へスライドするトレイ駆動部と、前記ディスクトレイの位置を検出するトレイ検出部と、前記筐体の内部に固定され光ディスクに記録されているデータを再生する再生部と、前記前面パネルの前記孔の下方に配設され前記電子回路による信号の処理内容を示す情報を表示する表示部と、前記前面パネルの前記表示部の配設位置に近接した位置に配設され前記表示部の周囲の照度を検出する照度検出部と、前記照度検出部が検出する照度と前記トレイ検出部が検出する前記ディスクトレイの位置に基づいて前記表示部の輝度を設定する輝度設定部とを備え、
前記照度検出部が周囲の照度が変化したことを検出した場合において、前記トレイ検出部が前記ディスクトレイが前記筐体の外部にあることを検出したときは、前記輝度設定部は前記表示部の輝度を変化させない設定をし、前記トレイ検出部が前記ディスクトレイが前記筐体の内部にあることを検出したときは、前記輝度設定部は前記表示部の輝度を前記照度検出部が検出する照度に応じた輝度に設定することを特徴とする光ディスク再生装置。
【請求項２】
請求項１記載の光ディスク再生装置において、
予め定めた距離の範囲内における物体の移動を検出する物体感知センサーを備え、
前記照度検出部が周囲の照度が変化したことを検出した場合において、前記物体感知センサーが物体の移動を検出したときは、前記輝度設定部は前記表示部の輝度を変化させない設定をすることを特徴とする光ディスク再生装置。
【請求項３】
請求項１または請求項２記載の光ディスク再生装置において、
時間情報を出力する時計部を備え、
前記輝度設定部は、前記時計部が出力する時間情報に基づいて、前記ディスクトレイが前記筐体の外部にある状態が予め定めた時間以上継続したことを判別したとき、前記表示部の輝度を前記照度検出部が検出する照度に応じた輝度に設定することを特徴とする光ディスク再生装置。
【請求項４】
請求項２記載の光ディスク再生装置において、
時間情報を出力する時計部を備え、
前記輝度設定部は、前記時計部が出力する時間情報に基づいて、
前記物体感知センサーが物体の移動を検出している状態が予め定めた時間以上継続したことを判別したとき、前記表示部の輝度を前記照度検出部が検出する照度に応じた輝度に設定することを特徴とする光ディスク再生装置。
【発明の詳細な説明】
【技術分野】
【０００１】
本発明は、光ディスクに記録されているデータを再生する光ディスク再生装置に関する。
【背景技術】
【０００２】
従来の光ディスク再生装置として、光ディスクを載置し前面パネルに備える孔を介して筐体の外部と内部の間を前後にスライドするディスクトレイを備え、当該ディスクトレイによって筐体内部に搬送された光ディスクに記録されたデータを再生する光ディスク再生装置がある（例えば、特許文献１参照。）。
【０００３】
従来の光ディスク再生装置には、光ディスクに記録されているオーディオデータのトラック数や光ディスクから再生しているオーディオデータのトラック番号及び再生経過時間等を表示する表示部を備えるものがある。これらの表示部には、表示部が自ら発光する蛍光表示管やＬＥＤ（Light-Emitting Diode）等が用いられている。
【０００４】
しかし、これらの蛍光表示管やＬＥＤによって表示部を発光させた場合、周囲の明るささが変化することによって、表示部の表示内容が視認し難くなることがある。例えば、発光させる表示部の輝度を予め定めた一定の輝度に固定した場合、昼間時のような周囲が明るいときには、周囲の明るさに対する表示部の輝度が不足し、表示部の表示内容が視認し難くなる。また、夜間時のような周囲が暗いときには、周囲の明るさに対して表示部の輝度が高すぎるために表示部の表示内容が視認し難くなることがある。
【０００５】
このような、周囲の明るさが変化することにより表示部の表示内容が視認し難くなることを防止するために、周囲の明るさに応じて表示部の輝度を変化させるものがある（例えば、特許文献２参照。）。
【０００６】
図１０は、特許文献１及び特許文献２に開示されている構成を従来の光ディスク再生装置に用いた場合を示す斜視図である。
光ディスク再生装置１００は、再生部２、出力部３、表示部５、照度センサー６、トレイ駆動部８、操作部９、筐体２０、前面パネル２１、制御部４００、輝度設定部７００及びディスクトレイ８０１を備える。
【０００７】
前面パネル２１は、貫通する開口孔２１０を備え、筐体２０の前面に固定されている。再生部２、出力部３、トレイ駆動部８、制御部４００及び輝度設定部７００は、筐体２０の内部に固定され、表示部５、照度センサー６及び操作部９は、前面パネル２１に固定される。表示部５は、ディスクトレイ８０１の下方の位置に配設され、照度センサー６は、表示部５の表面に配設される。
【０００８】
操作部９は、開閉釦９０１、再生釦９０２及び停止釦９０３を備え、それぞれ前面パネル２１に固定されている。開閉釦９０１、再生釦９０２及び停止釦９０３は、押圧されることにより、それぞれ開閉指示信号、再生指示信号及び停止指示信号を制御部４００に出力する。
【０００９】
制御部４００は、操作部９の開閉釦９０１から開閉指示信号が出力される毎に、ディスクトレイ８０１を開閉するようトレイ駆動部８を制御する。ディスクトレイ８０１は、光ディスク１０を載置する。トレイ駆動部８は、制御部４００の制御によりディスクトレイ８０１を筐体２０の内部から開口孔２１０より前方に突出する位置にスライドし、また、ディスクトレイ８０１を前面パネル２１の前方から開口孔２１０を通過して筐体２０の内部にスライドする。
【００１０】
制御部４００は、再生釦９０２から再生指示信号が出力されると、ディスクトレイ８０１によって筐体２０の内部に搬送された光ディスク１０を再生するよう再生部２を制御し、また、停止釦９０３から停止指示信号が出力されると、再生部２による光ディスク１０の再生を停止するよう再生部２を制御する。再生部２は、図示しないターンテーブル、スピンドルモータ、光ピックアップ及びＤＡＣ（Ｄｉｇｉｔａ１  Ａｎａ１ｏｇ  Ｃｏｎｖｅｒｔｅｒ）を備える。ターンテーブルは、ディスクトレイ８０１によって筐体２０の内部に搬送された光ディスク１０を固定する。光ピックアップは、光ディスク１０に記録されたオーディオデータを読み取る。ＤＡＣは、光ピックアップが読み取ったオーディオデータ（デジタルデータ）をアナログのオーディオ信号に変換し、出力部３に出力する。出力部３は、再生部２から出力されたオーディオ信号を出力する。
【００１１】
表示部５は、蛍光表示管であり、光ディスク１０に記録されているオーディオデータのトラック数や再生するオーディオ信号のトラック番号及び再生経過時間等の情報を発光して表示する。照度センサー６は、光センサーを備え、当該光センサーによって周囲の明るさ（照度）を検出する。
【００１２】
輝度設定部７００は、照度センサー６が検出した周囲の照度に応じて表示部５の発光輝度を予め定めた輝度に変化させて発光するよう表示部５の輝度を設定する。例えば、輝度設定部７００は、照度センサー６が検出した周囲の照度が２５ルクス未満である場合、表示部５を予め定めた第１の輝度で発光するよう設定する。また、輝度設定部７００は、照度センサー６が検出した周囲の照度が２５ルクス以上５０ルクス未満である場合、表示部５を第１の輝度よりも高い輝度である第２の輝度で発光するよう設定する。また、輝度設定部７００は、照度センサー６が検出した周囲の照度が５０ルクス以上７５ルクス未満である場合、表示部５を第２の輝度よりも高い輝度である第３の輝度で発光するよう設定する。また、輝度設定部７００は、照度センサー６が検出した周囲の照度が７５ルクス以上１００ルクス未満である場合、表示部５を第３の輝度よりも高い輝度である第４の輝度で発光するよう設定する。また、輝度設定部７００は、照度センサー６が検出した周囲の照度が１００ルクス以上である場合、表示部５を第４の輝度よりも高い輝度である第５の輝度で発光するよう設定する。
【００１３】
以上の構成により、光ディスク再生装置１００は、先ず、開閉釦９０１を押圧し、ディスクトレイ８０１を前面パネル２１の前方に突出した状態でディスクトレイ８０１に光ディスク１０を載置した後、再度開閉釦９０１を押圧してディスクトレイ８０１を筐体２０の内部にスライドし、次に、再生釦９０２を押圧することによって、光ディスク１０に記録されたデジタルデータを再生することができる。
【００１４】
また、光ディスク再生装置１００は、周囲が明るいときには、周囲が暗いときよりも高い輝度で表示部５を発光し、また、周囲が暗いときには、周囲が明るいときよりも低い輝度で表示部５を発光するので、周囲の明るさが変化することによって表示部の表示内容が視認し難くなってしまうことを防止することができる。
【００１５】
【特許文献１】特開平６−２５１４８１公報
【００１６】
【特許文献２】特開平７−２８１６２９公報
【発明の開示】
【発明が解決しようとする課題】
【００１７】
図１１は、従来の光ディスク再生装置１００を示す図で、図１１（ａ）はディスクトレイ８０１が筐体２０の内部にある場合を示す側面図、図１１（ｂ）はディスクトレイ８０１が前面パネル２１の前方に突出している場合を示す側面図である。
【００１８】
図１１（ａ）に示すように、ディスクトレイ８０１を筐体２０の内部にスライドしている状態においては、照度センサー６は、太陽や照明等による光が光センサーに入力されることにより、表示部５の周囲の照度を検出する。しかし、図１１（ａ）に示す状態から図１１（ｂ）に示すように、ディスクトレイ８０１を前面パネル２１の前方に突出させると、ディスクトレイ８０１によって照度センサー６の光センサーに入力される光の一部が遮断されることにより、照度センサー６が検出する照度が低下する。このため、例えば、光ディスク再生装置１００が図１１（ａ）に示す状態のときに、照度センサー６が検出した周囲の照度がそれまで５０ルクスであり、このときの表示部５の輝度が第３の輝度である場合、図１１（ｂ）に示すように、ディスクトレイ８０１を前面パネル２１の前方に突出させると、照度センサー６が検出する周囲の照度が５０ルクス以下に低下し、表示部５の輝度が第２の輝度以下に低下する。また、図１１（ｂ）に示すようにディスクトレイ８０１が前方に突出した状態から図１１（ａ）に示すようにディスクトレイ８０１を筐体２０の内部にスライドさせると、照度センサー６が検出した周囲の照度が５０ルクスに上昇し、この結果、表示部５の輝度が第３の輝度に上昇する。
【００１９】
このように、ディスクトレイ８０１を前方に突出させたり、筐体２０の内部にスライドする毎に照度センサー６が検出する周囲の照度が変化し、表示部５の輝度が変化してしまうと、表示部５がちらついてしまい、光ディスク再生装置１００の高級感や質感が損なわれてしまう。また、表示部５がちらついてしまうことにより、使用者が表示部５の表示内容を視認することが困難となる。
【００２０】
このようなディスクトレイ８０１の位置が変化することによって表示部５の輝度が変化することを防止するために、照度センサー６を表面に配設する表示部５の位置をディスクトレイ８０１より上方の位置に配設すれば、ディスクトレイ８０１によって照度センサー６に入力される光が遮断されることを防止することができる。しかし、従来の光ディスク再生装置１００によって、ディスクトレイ８０１に光ディスクを載置したり、ディスクトレイ８０１から光ディスクを取り出す作業を行なう場合、使用者は前面パネル２１の前方の斜め上方から作業を行なうことが多いことから、前面パネル２１に対してディスクトレイ８０１がなるべく上方の位置に配設されているほうが、光ディスクのディスクトレイ８０１への載置作業やディスクトレイ８０１からの取り出し作業を円滑に行なうことができる。このことから、表面に照度センサー６を備える表示部５をディスクトレイ８０１より上方の位置に配設してしまうと、ディスクトレイ８０１に光ディスク１０を載置したりディスクトレイ８０１から光ディスク１０を取り出したりする作業が困難となってしまう。
【００２１】
また、このようなディスクトレイ８０１の位置によって表示部５の輝度が変化することを防止するために、表示部５をディスクトレイ８０１の下方の位置に配設した状態で、照度センサー６のみをディスクトレイ８０１の上方の位置に配設すれば、ディスクトレイ８０１によって照度センサー６に入力される光が遮断されることを防止することができる。しかし、照度センサー６は、表示部５に直接照射される光の照度に応じて表示部５の表示内容が視認しやすくなるように表示部５の輝度を変化させる必要があるため、照度センサー６を表示部５から離れた位置に配設してしまうと、周囲の照度の変化に応じて表示部５の輝度を適切に変化させることができなくなる。
【００２２】
また、例えば、従来の光ディスク再生装置の近くを人が横切った場合、照度センサーの光センサーに入力する周囲の光が横切った人によって一時的に遮断される。このため、例えば、照度センサーが検出する周囲の照度がそれまで５０ルクスであり、また、このときの表示部の輝度が第３の輝度である場合、光ディスク再生装置の近くを人が横切ったために、その間一時的に照度センサーが検出する周囲の照度が２５ルクス以下に低下すると、表示部の輝度は、一時的に第１の輝度に低下した後、すぐに第３の輝度に戻ることになる。
【００２３】
このように、従来の光ディスク再生装置の近くを人が横切ることにより、照度センサーが検出する周囲の照度が一時的に低下することによって、表示部の発光輝度が頻繁に変化してしまうと、表示部の表示がちらついてしまい、表示部の表示内容を視認することが困難となる。また、表示部の輝度が短時間の間に頻繁に変化すると、光ディスク再生装置の高級感や質感が損なわれてしまう。
【００２４】
本発明は、ディスクトレイを前方に突出させて光ディスクの出し入れを行う光ディスク再生装置において、ディスクトレイをスライドさせる毎に表示部の輝度が頻繁に変化することを防止することができる光ディスク再生装置を提供することを目的とする。
【００２５】
また、本発明は、光ディスク再生装置において、近くを人が横切ったりすることによって周囲の照度が一時的に変化した場合でも、表示部の輝度が頻繁に変化してしまうことを防止することができる光ディスク再生装置を提供することを目的とする。
【課題を解決するための手段】
【００２６】
本願の請求項１記載の発明は、光ディスクに記録されているデータを再生する光ディスク再生装置において、筐体と、前記筐体に固定され貫通する孔を備える前面パネルと、光ディスクを載置するディスクトレイと、前記ディスクトレイを前記筐体の外部から前記前面パネルの前記孔を通過して前記筐体内部へスライドするトレイ駆動部と、前記ディスクトレイの位置を検出するトレイ検出部と、前記筐体の内部に固定され光ディスクに記録されているデータを再生する再生部と、前記前面パネルの前記孔の下方に配設され前記電子回路による信号の処理内容を示す情報を表示する表示部と、前記前面パネルの前記表示部の配設位置に近接した位置に配設され前記表示部の周囲の照度を検出する照度検出部と、
前記照度検出部が検出する照度と前記トレイ検出部が検出する前記ディスクトレイの位置に基づいて前記表示部の輝度を設定する輝度設定部とを備え、前記照度検出部が周囲の照度が変化したことを検出した場合において、前記トレイ検出部が前記ディスクトレイが前記筐体の外部にあることを検出したときは、前記輝度設定部は前記表示部の輝度を変化させない設定をし、前記トレイ検出部が前記ディスクトレイが前記筐体の内部にあることを検出したときは、前記輝度設定部は前記表示部の輝度を前記照度検出部が検出する照度に応じた輝度に設定することを特徴とする。
【００２７】
本願の請求項２記載の発明は、請求項１記載の光ディスク再生装置において、予め定めた距離の範囲内における物体の移動を検出する物体感知センサーを備え、前記照度検出部が周囲の照度が変化したことを検出した場合において、前記物体感知センサーが物体の移動を検出したときは、前記輝度設定部は前記表示部の輝度を変化させない設定をすることを特徴とする。
【００２８】
本願の請求項３記載の発明は、請求項１または請求項２記載の光ディスク再生装置において、時間情報を出力する時計部を備え、前記輝度設定部は、前記時計部が出力する時間情報に基づいて、前記ディスクトレイが前記筐体の外部にある状態が予め定めた時間以上継続したことを判別したとき、前記表示部の輝度を前記照度検出部が検出する照度に応じた輝度に設定することを特徴とする。
【００２９】
本願の請求項４の発明は、請求項２記載の光ディスク再生装置において、時間情報を出力する時計部を備え、前記輝度設定部は、前記時計部が出力する時間情報に基づいて、前記物体感知センサーが物体の移動を検出している状態が予め定めた時間以上継続したことを判別したとき、前記表示部の輝度を前記照度検出部が検出する照度に応じた輝度に設定することを特徴とする。
【発明の効果】
【００３０】
本発明の光ディスク再生装置によれば、ディスクトレイを前方に突出させて光ディスクの出し入れを行う光ディスク再生装置において、ディスクトレイをスライドさせることによって表示部の輝度が頻繁に変化することを防止することができる光ディスク再生装置を提供することができる。
【００３１】
また、本発明の光ディスク再生装置によれば、近くを人が横切ったりすることによって周囲の照度が一時的に変化した場合でも、表示部の輝度が頻繁に変化してしまうことを防止することができる光ディスク再生装置を提供することができる。
【発明を実施するための最良の形態】
【００３２】
本発明の実施の形態を図面を参照して説明する。なお、従来技術で示した構成要素と同一の部分については同符号を用いる。
【００３３】
図１は、本発明の第１実施例の光ディスク再生装置の構成を示すブロック図である。
光ディスク再生装置１は、再生部２、出力部３、制御部４、表示部５、照度センサー６、輝度設定部７、トレイ駆動部８、操作部９及びトレイ検出部１１を備える。
【００３４】
図２は、本発明の第１実施例の光ディスク再生装置１を示す斜視図である。
光ディスク再生装置１は、前面パネル２１及びディスクトレイ８０１を備える。前面パネル２１は、貫通する開口孔２１０を備え、筐体２０の前面に固定されている。
【００３５】
図１に示す再生部２、出力部３、制御部４、輝度設定部７、トレイ駆動部８及びトレイ検出部１１は、筐体２０の内部に固定され、表示部５、照度センサー６及び操作部９は、前面パネル２１に固定される。表示部５は、ディスクトレイ８０１の下方の位置に配設され、照度センサー６は、表示部５の表面に配設される。
【００３６】
図１に示す操作部９は、図２に示すように、開閉釦９０１、再生釦９０２及び停止釦９０３を備え、それぞれ前面パネル２１に固定されている。開閉釦９０１、再生釦９０２及び停止釦９０３は、押圧されることにより、それぞれ開閉指示信号、再生指示信号及び停止指示信号を制御部４に出力する。
【００３７】
制御部４は、操作部９の開閉釦９０１から開閉指示信号が出力される毎に、ディスクトレイ８０１を開閉するようトレイ駆動部８を制御する。ディスクトレイ８０１は、光ディスク１０を載置する。トレイ駆動部８は、制御部４の制御によりディスクトレイ８０１を筐体２０の内部から開口孔２１０より前方に突出する位置にスライドし、また、ディスクトレイ８０１を前面パネル２１の前方から開口孔２１０を通過して筐体２０の内部にスライドする。
【００３８】
制御部４は、再生釦９０２から再生指示信号が出力されると、ディスクトレイ８０１によって筐体２０の内部に搬送された光ディスク１０を再生するよう再生部２を制御し、また、停止釦９０３から停止指示信号が出力されると、再生部２による光ディスク１０の再生を停止するよう再生部２を制御する。再生部２は、図示しないターンテーブル、スピンドルモータ、光ピックアップ及びＤＡＣを備える。ターンテーブルは、ディスクトレイ８０１によって筐体２０の内部に搬送された光ディスク１０を固定する。光ピックアップは、光ディスク１０に記録されたオーディオデータを読み取る。ＤＡＣは、光ピックアップが読み取ったオーディオデータ（デジタルデータ）をアナログのオーディオ信号に変換し、出力部３に出力する。出力部３は、再生部２から出力されたオーディオ信号を出力する。
【００３９】
表示部５は、蛍光表示管であり、光ディスク１０に記録されているオーディオデータのトラック数や光ディスクから再生するオーディオ信号のトラック番号及び再生経過時間等の情報を発光して表示する。照度センサー６は、光センサーを備え、当該光センサーによって周囲の明るさ（照度）を検出する。トレイ検出部１１は、トレイ駆動部８によってスライドされたディスクトレイ８０１の位置を検出する。輝度設定部７は、照度センサー６が検出する周囲の照度とトレイ検出部１１が検出するディスクトレイ８０１の位置に基づいて表示部５の発光輝度を設定する。
【００４０】
図３は、本発明の第１実施例の輝度設定部７による表示部５の輝度の制御を示すフローチャート図である。
図３に示す開始時点において、輝度設定部７は、照度センサー６が検出した周囲の照度が２５ルクス未満である場合、表示部５を予め定めた第１の輝度で発光するよう設定する。また、輝度設定部７は、照度センサー６が検出した周囲の照度が２５ルクス以上５０ルクス未満である場合、表示部５を第１の輝度よりも高い輝度である第２の輝度で発光するよう設定する。また、輝度設定部７は、照度センサー６が検出した周囲の照度が５０ルクス以上７５ルクス未満である場合、表示部５を第２の輝度よりも高い輝度である第３の輝度で発光するよう設定する。また、輝度設定部７は、照度センサー６が検出した周囲の照度が７５ルクス以上１００ルクス未満である場合、表示部５を第３の輝度よりも高い輝度である第４の輝度で発光するよう設定する。また、輝度設定部７は、照度センサー６が検出した周囲の照度が１００ルクス以上である場合、表示部５を第４の輝度よりも高い輝度である第５の輝度で発光するよう設定する。
【００４１】
ステップＳ１において、輝度設定部７は、トレイ検出部１１が検出するディスクトレイ８０１の位置に基づいて、ディスクトレイ８０１が前面パネル２１から前方に突出した位置、つまり、ディスクトレイ８０１が前方に開口した位置であるか否かを検出する。ステップＳ１において、ディスクトレイ８０１が前方に開口した位置でない場合、先ず、照度センサー６は周囲の照度を検出する（ステップＳ２）。次に、輝度設定部７は、照度センサー６が検出した照度に応じて表示部５の輝度を変化させ（ステップＳ３）、ステップＳ１に戻る。
【００４２】
ステップＳ１において、ディスクトレイ８０１が前方に開口した位置である場合、輝度設定部７は、表示部５の輝度を変化させることなく、ステップＳ５に移行する（ステップＳ４）。ステップＳ５において、制御部４は、図２に示す開閉釦９０１からディスクトレイ８０１を筐体２０の内部にスライドする開閉指示信号が出力されたか否かを判別し、開閉釦９０１からディスクトレイ８０１を筐体２０の内部にスライドする開閉指示信号が出力された場合、トレイ駆動部８によってディスクトレイ８０１を筐体２０の内部にスライドし（ステップＳ６）、ステップＳ１に戻る。
【００４３】
図４は、本発明の第１実施例の光ディスク再生装置１を示す図で、図４（ａ）はディスクトレイ８０１が筐体２０の内部にある場合を示す側面図、図４（ｂ）はディスクトレイ８０１が前面パネル２１の前方に突出している場合を示す側面図である。
【００４４】
図４（ａ）に示すように、ディスクトレイ８０１を筐体２０の内部にスライドしている状態においては、図３のステップＳ１〜ステップＳ３に示すように、照度センサー６は、表示部５の周囲の照度を検出し、輝度設定部７は、照度センサー６が検出した周囲の照度に応じて表示部５の輝度を変化させる。一方、図４（ｂ）に示すように、ディスクトレイ８０１が前面パネル２１の前方にスライドしている状態においては、図３のステップＳ４に示すように、輝度設定部７は、表示部５の輝度を変化させない。
【００４５】
以上の構成により、本発明の第１実施例の光ディスク再生装置１は、図４（ａ）に示すようにディスクトレイ８０１が筐体２０の内部にある状態から、図４（ｂ）に示すようにディスクトレイ８０１が前面パネル２１の前方に突出し、ディスクトレイ８０１によって照度センサー６の光センサーに入力される光の一部が遮断された状態となっても、輝度設定部７は表示部５の輝度を変化させない。このことにより、本実施例の光ディスク再生装置１は、ディスクトレイ８０１のスライドする位置によって表示部５がちらついてしまい、光ディスク再生装置１の高級感や質感が損なわれたり、表示部５の表示内容を視認することが困難となることを防止することができる。
【００４６】
本発明の第１実施例の光ディスク再生装置１は、ディスクトレイ８０１が前方に突出した場合には、表示部５の輝度を変化させない構成としたが、ディスクトレイ８０１が前方に突出した状態が一定時間以上継続したときには、照度センサー６が検出する周囲の照度に応じて輝度設定部７が表示部５の輝度を設定する構成としても良い。この場合、例えば、前述した光ディスク再生装置１に時間情報を出力する時計部を備え、輝度設定部７は、照度センサー６が検出する周囲の照度、トレイ検出部１１が検出するディスクトレイ８０１の位置及び時計部が出力する時間情報に基づいて、ディスクトレイ８０１が前方に突出した状態が例えば、１０秒以上継続したときには、照度センサー６が検出する周囲の照度に応じて表示部５の輝度を設定する構成とする。
【００４７】
通常、使用者がディスクトレイ８０１に光ディスク１０を載置したり、また、ディスクトレイ８０１から光ディスク１０を取り出すのに必要な時間は、長くても１０秒以内である。このため、ディスクトレイ８０１が前方に突出した状態が１０秒以上継続された場合は、光ディスク１０をディスクトレイに載置したりディスクトレイから取り出す作業以外の場合、例えば、前方に突出したディスクトレイ８０１に光ディスク１０を載置したままの状態で使用者が光ディスク１０の表面に印刷されたオーディオの曲目を目視して再生する曲目や曲の順番を選定しながら操作部５を操作して再生曲目及び再生順を予め設定している場合等であると推測できる。このとき、通常は設定した再生曲目及び再生順の内容が表示部５に表示されるので、使用者は表示部５に表示された設定内容を目視して確認する。この場合、ディスクトレイ８０１によって表示部５に照射される光が遮断されているのにも拘らず、表示部５の輝度が周囲の照度に応じた輝度となっていないと、使用者が表示部に表示された設定内容を目視して確認しようとする場合、表示部５の表示を使用者が視認し難くなってしまうこととなる。
【００４８】
このため、ディスクトレイ８０１が前方に突出した状態が１０秒以上継続したときには、照度センサー６が検出する周囲の照度に応じて表示部５の輝度を設定する構成とすれば、使用者が前方に突出したディスクトレイ８０１に載置された光ディスク１０の表面に印刷されたオーディオの曲目と表示部５の表示を目視して再生曲目及び再生順を予め設定し、表示部５に表示された設定内容を目視して確認する場合、表示部５の輝度を周囲の照度に応じた輝度にすることができる。
【００４９】
本発明の第１実施例の光ディスク再生装置１は、照度センサー６が周囲の照度が低下したことを検出してから予め定めた時間、例えば、１０秒が経過するまでの間に照度センサー６が周囲の照度の低下を検出する以前の周囲の照度に戻ったことを検出した場合は、輝度設定部７が表示部５の輝度を変化させない構成としても良い。
【００５０】
光ディスク再生装置１の近くを人が横切った場合は、当該人によって照度センサー６の光センサーに入力する周囲の光が一時的に遮断されるが、その後、人が光ディスク再生装置１から離れると、光ディスク再生装置１の周囲の照度は当該人が近寄る前の元の照度に戻る。このとき、人が光ディスク再生装置１の近くを横切る場合、照度センサー６が入力する周囲の光を人が遮断する時間は、長くても１０秒以内である。このため、本実施例の光ディスク再生装置１の近くを人が一時的に横切ったことにより、周囲の照度が低下しても、その後、１０秒以内に周囲の照度が元の照度に戻った場合は、表示部５の輝度を変化させないので、人が光ディスク再生装置１の近くを横切る度に表示部５の発光輝度が頻繁に変化してしまい、表示部５の表示内容を視認することが困難となることを防止することができる。
【００５１】
次に、本発明の一実施例の光ディスク再生装置の第２実施例について説明する。
図５は、本発明の第２実施例の光ディスク再生装置の構成を示すブロック図である。
光ディスク再生装置１は、再生部２、出力部３、制御部４、表示部５、照度センサー６、輝度設定部７、トレイ駆動部８、操作部９、トレイ検出部１１及び物体感知センサー１２を備える。
第２実施例における光ディスク再生装置は、物体感知センサー１２を備えること以外は、第１実施例の構成と同じであるため、詳細な説明は省略する。
【００５２】
図６は、本発明の第２実施例の光ディスク再生装置１を示す斜視図である。
物体感知センサー１２は、表示部５の表面に配設される。
【００５３】
図７は、本発明の第２実施例の光ディスク再生装置１を示す上面図である。
物体感知センサー１２は、赤外線を発光する赤外線発光部（図示しない）及び赤外線発光部から発光された赤外線が外部の物体によって反射された当該赤外線を受光する赤外線受光部（図示しない）を備え、赤外線発光部が赤外線を発光してから赤外線受光部が当該赤外線を受光するまでの時間を算出し、物体感知センサー１２から外部の物体までの距離を検出する。物体感知センサー１２は、検出した物体感知センサー１２から外部の物体までの距離に基づいて、外部の物体までの一定時間毎の距離の差を比較し、人が光ディスク再生装置１の前を横切ったか否かを検出する。
物体感知センサー１２が外部の物体までの距離を検出する構成については、例えば、特開平１０−２５５１８７号公報に開示されている物体感知センサの構成を用いても良い。また、本発明の第２実施例においては、赤外線の発光及び当該発光した赤外線の受光によって物体感知センサー１２が外部の物体までの距離を検出する構成としたが、例えば、特開２００３−２８４０５５公報に開示されているような映像撮影部や赤外線ＬＥＤを用いて、物体を感知する構成としても良い。
【００５４】
物体感知センサー１２は、図７に示すように、予め定めた距離の範囲内、例えば、前方から上下方向及び左右方向にそれぞれ１２０°の範囲内であって、かつ１ｍの範囲内において、人が横切ったか否かを検出する。物体感知センサー１２は、前方から１２０°の範囲内であって、かつ１ｍの範囲内で人が横切ったことを検出した場合、輝度設定部７に物体感知信号を出力する。
なお、物体感知センサー１２の前方から上下方向及び左右方向にそれぞれ１２０°の範囲内であって、かつ１ｍ以内の範囲内にテーブル等の物体がある場合は、例えば、特開平１０−２５５１８７号公報に開示されているように、赤外線発光部及び赤外線受光部の指向角度を調節する角度調節機構を備え、この角度調節機構を調節することによってテーブル等の物体を物体感知センサー１２の距離検出の範囲外に指向する構成とすれば、テーブル等の物体までの距離を物体感知センサー１２が検出し、人が横切ったと誤検出してしまうことを防止することができる。
【００５５】
輝度設定部７は、照度センサー６が検出する周囲の照度と物体感知センサー１２から物体信号が出力されたか否かに基づいて表示部５の発光輝度を設定する。
【００５６】
図８は、本発明の第２実施例の輝度設定部７による表示部５の輝度の制御を示すフローチャート図である。
図８に示す開始時点において、輝度設定部７は、照度センサー６が検出した周囲の照度が２５ルクス未満である場合、表示部５を予め定めた第１の輝度で発光するよう設定する。また、輝度設定部７は、照度センサー６が検出した周囲の照度が２５ルクス以上５０ルクス未満である場合、表示部５を第１の輝度よりも高い輝度である第２の輝度で発光するよう設定する。また、輝度設定部７は、照度センサー６が検出した周囲の照度が５０ルクス以上７５ルクス未満である場合、表示部５を第２の輝度よりも高い輝度である第３の輝度で発光するよう設定する。また、輝度設定部７は、照度センサー６が検出した周囲の照度が７５ルクス以上１００ルクス未満である場合、表示部５を第３の輝度よりも高い輝度である第４の輝度で発光するよう設定する。また、輝度設定部７は、照度センサー６が検出した周囲の照度が１００ルクス以上である場合、表示部５を第４の輝度よりも高い輝度である第５の輝度で発光するよう設定する。
【００５７】
ステップＳ１において、輝度設定部７は、トレイ検出部１１が検出するディスクトレイ８０１の位置に基づいて、ディスクトレイ８０１が前面パネル２１から前方に突出した位置、つまり、ディスクトレイ８０１が前方に開口した位置であるか否かを検出する。ステップＳ１において、ディスクトレイ８０１が前方に開口した位置でない場合はステップＳ２に移行する。ステップＳ２において、輝度設定部７は、物体感知センサー１２から物体感知信号が出力されているか否かを検出し、物体感知センサー１２から、物体感知信号が出力されていない場合、先ず、照度センサー６は周囲の照度を検出する（ステップＳ３）。次に、輝度設定部７は、照度センサー６が検出した照度に応じて表示部５の輝度を変化させ（ステップＳ４）、ステップＳ１に戻る。
【００５８】
ステップＳ１において、ディスクトレイ８０１が前方に開口した位置である場合、輝度設定部７は、表示部５の輝度を変化させることなく、ステップＳ６に移行する（ステップＳ５）。また、ステップＳ２において、物体感知センサー１２から物体感知信号が出力されている場合も、輝度設定部７は、表示部５の輝度を変化させることなく、ステップＳ６に移行する（ステップＳ５）。
【００５９】
ステップＳ６において、制御部４は、図６に示す開閉釦９０１からディスクトレイ８０１を筐体２０の内部にスライドする開閉指示信号が出力されたか否かを判別し、開閉釦９０１からディスクトレイ８０１を筐体２０の内部にスライドする開閉指示信号が出力された場合、トレイ駆動部８によってディスクトレイ８０１を筐体２０の内部にスライドし（ステップＳ６）、ステップＳ１に戻る。
【００６０】
図９は、本発明の第２実施例の光ディスク再生装置１を示す図で、物体感知センサー１２の前方から上下方向及び左右方向にそれぞれ１２０°の範囲内であって、かつ１ｍの範囲内に人が横切った状態を示す側面図である。
図９に示すように、物体感知センサー１２の前方から上下方向及び左右方向にそれぞれ１２０°の範囲内であって、かつ１ｍ範囲内で人３０が横切った場合、図８のステップＳ５に示すように、物体感知センサー１２が人が横切ったことを検出し、輝度設定部７は、表示部５の輝度を変化させない。
【００６１】
以上の構成により、本発明の第２実施例の光ディスク再生装置１は、図９に示すように、ディスクトレイ８０１が筐体２０の内部にある状態であり、ディスクトレイ８０１によって照度センサー６の光センサーに入力される光の一部が遮断されていない状態であっても、近くを人３０が一時的に横切ったことで周囲の照度が低下してしまっても、物体感知センサー１２が光ディスク再生装置１の前方に人が横切ったことを検出することにより、輝度設定部７は表示部５の輝度を変化させない。このことにより、本発明の第２実施例の光ディスク再生装置１は、近くを人が一時的に横切ったことによって表示部５がちらついてしまい、光ディスク再生装置１の高級感や質感が損なわれたり、表示部５の表示内容を視認することが困難となることを防止することができる。
【００６２】
本発明の第２実施例の光ディスク再生装置１は、前方から１２０°の範囲内であって、かつ１ｍの範囲内で人が横切った場合は、表示部５の輝度を変化させない構成としたが、前方に物体を検出した状態が一定時間以上継続したときには、照度センサー６が検出する周囲の照度に応じて輝度設定部７が表示部５の輝度を設定する構成としても良い。この場合、例えば、前述した光ディスク再生装置１に時間情報を出力する時計部を備え、輝度設定部７は、照度センサー６が検出する周囲の照度、物体感知センサー１２からの物体感知信号の出力の有無及び時計部が出力する時間情報に基づいて、物体感知センサー１２が前方に物体を検出した状態が例えば、３秒以上継続したときには、照度センサー６が検出する周囲の照度に応じて表示部５の輝度を設定する構成とする。
【００６３】
通常、光ディスク再生装置１の近くを人が一時的に横切るのに費やす時間は、長くても３秒以内である。このため、光ディスク再生装置１の近くに物体を検出した状態が３秒以上継続された場合は、人が横切ったのではなく、例えば、人が表示部５に表示された設定内容を目視している場合等であると推測できる。この場合、人が前方に居ることで表示部５に照射される光が遮断されているのにも拘らず、表示部５の輝度が周囲の照度に応じた輝度となっていないことにより、表示部５の表示を使用者が視認し難くなってしまうこととなる。
【００６４】
このため、物体感知センサー１２が前方に物体を検出した状態が３秒以上継続したときには、照度センサー６が検出する周囲の照度に応じて表示部５の輝度を設定する構成とすれば、人が表示部５に表示された設定内容を目視している場合、表示部５の輝度を周囲の照度に応じた輝度にすることができる。
【図面の簡単な説明】
【００６５】
【図１】本発明の第１実施例の光ディスク再生装置の構成を示すブロック図。
【図２】本発明の第１実施例の光ディスク再生装置１を示す斜視図。
【図３】本発明の第１実施例の輝度設定部７による表示部５の輝度の制御を示すフローチャート図。
【図４】本発明の第１実施例の光ディスク再生装置１を示す図で、図４（ａ）はディスクトレイ８０１が筐体２０の内部にある場合を示す側面図、図４（ｂ）はディスクトレイ８０１が前面パネル２１の前方に突出している場合を示す側面図。
【図５】本発明の第２実施例の光ディスク再生装置の構成を示すブロック図。
【図６】本発明の第２実施例の光ディスク再生装置１を示す斜視図。
【図７】本発明の第２実施例の光ディスク再生装置１を示す上面図。
【図８】本発明の第２実施例の輝度設定部７による表示部５の輝度の制御を示すフローチャート図。
【図９】本発明の第２実施例の光ディスク再生装置１を示す図で、物体感知センサー１２の前方から上下方向及び左右方向にそれぞれ１２０°の範囲内であって、かつ１ｍの範囲内に人が横切った状態を示す側面図。
【図１０】特許文献１及び特許文献２に開示されている構成を従来の光ディスク再生装置に用いた場合を示す斜視図。
【図１１】従来の光ディスク再生装置１００を示す図で、図１１（ａ）はディスクトレイ８０１が筐体２０の内部にある場合を示す側面図、図１１（ｂ）はディスクトレイ８０１が前面パネル２１の前方に突出している場合を示す側面図。
【符号の説明】
【００６６】
１  光ディスク再生装置、２  再生部、３  出力部、４  制御部、５  表示部、
６  照度センサー、７  輝度設定部、８  トレイ駆動部、８０１  ディスクトレイ、
９  操作部、９０１  開閉釦、９０２  再生釦、９０３  停止釦、１０  光ディスク、
１１  トレイ検出部、１２  物体感知センサー、２０  筐体、
２１  前面パネル、２１０  開口孔、３０  人、
１００  光ディスク再生装置、４００  制御部、７００  輝度設定部
【図１】
2007102988.tif 000003
【図２】
2007102988.tif 000004
【図３】
2007102988.tif 000005
【図４】
2007102988.tif 000006
【図５】
2007102988.tif 000007
【図６】
2007102988.tif 000008
【図７】
2007102988.tif 000009
【図８】
2007102988.tif 000010
【図９】
2007102988.tif 000011
【図１０】
2007102988.tif 000012
【図１１】
2007102988.tif 000013